(57)【特許請求の範囲】
【請求項１】
試料をイメージングするための透過電子顕微鏡であって、
前記透過電子顕微鏡は、前記試料の回折パターンが形成される回折平面を示すと共に、
前記回折平面は、フーリエドメインにおける前記試料のイメージを表すと共に、
前記透過電子顕微鏡は、前記回折平面又はそれのイメージに位置決めされたブロッキング部材を具備すると共に、
前記ブロッキング部材は、前記フーリエドメインの一部分をブロックすると共に、
少なくとも一つの方向における前記フーリエドメインのブロックされた部分は、低い空間周波数から高い空間周波数まで延びる、
透過電子顕微鏡において、
前記ブロッキング部材によってブロックされた最も高い空間周波数は、前記ブロッキング部材無しにイメージングされた上記の回折平面のイメージがおおよそ０．５のコントラストの伝達を示す空間周波数と比べてより低い又はそれに等しいものである
ことを特徴とする、透過電子顕微鏡。
【請求項２】
請求項１の透過電子顕微鏡において、
前記ブロッキング部材は、支持するアームへ接続されたものである、
透過電子顕微鏡。
【請求項３】
請求項１の透過電子顕微鏡において、
前記ブロッキング部材は、薄いフィルムによって支持されたものであると共に、
上記のフィルムは、突き当たる電子に対して透明なものである、
透過電子顕微鏡。
【請求項４】
請求項1乃至3のうちのいずれか一項の透過電子顕微鏡であって、
前記ブロッキング部材は、矩形に似るものである、
透過電子顕微鏡。
【請求項５】
請求項１の透過電子顕微鏡において、
前記ブロッキング部材は、変動する幅を備えた台形に似るものであると共に、
前記回折パターンは、回折させられてない電子のスポットを示すと共に、
前記ブロックされた空間周波数の区間は、適当な幅を備えた前記ブロッキング部材の一部分の近くに回折させられてない電子のビームを位置決めすることによって選ばれたものである、
透過電子顕微鏡。
【請求項６】
請求項１の透過電子顕微鏡において、
前記ブロッキング部材は、不連続の数の階段を示すと共に、
各々のものは、異なる幅を備えたものである、
透過電子顕微鏡。
【請求項７】
請求項１の透過電子顕微鏡において、
前記ブロッキング部材は、半円形に似るものである、
透過電子顕微鏡。
【請求項８】
請求項７の透過電子顕微鏡であって、
前記半円形は、支持のアームへ接続された真っ直ぐなエッジを示すと共に、
前記支持のアームは、上記の真っ直ぐなエッジに対して垂直な又は平行なもののいずれかの方向に延びる、
透過電子顕微鏡。
【請求項９】
請求項1乃至8のうちのいずれか一項の透過電子顕微鏡であって、
前記ブロッキング部材は、前記回折平面のイメージである平面に置かれたものであると共に、
前記回折平面のアナモルフィックなイメージは、形成される、
透過電子顕微鏡。
【請求項１０】
請求項1乃至9のうちのいずれか一項の透過電子顕微鏡であって、
前記ブロッキング部材は、前記回折平面のイメージである平面に置かれたものであると共に、
上記の平面への前記回折平面のイメージングは、補正器光学部品の部分である伝達光学部品によって少なくとも部分的に実現されたものであると共に、
前記補正器光学部品が前記回折パターンを形成するレンズの収差を補正するためのものである、
透過電子顕微鏡。
【請求項１１】
請求項1乃至10のうちのいずれか一項の透過電子顕微鏡であって、
前記ブロッキング部材の少なくとも一部分は、アースから電気的に絶縁させられたものであると共に、
前記ブロッキング部材の少なくとも一部分に突き当たる電流を測定するための電流の測定ユニットへ電気的に接続させられたものである、
透過電子顕微鏡。
【請求項１２】
請求項１１の透過電子顕微鏡であって、
前記電流の測定は、前記ブロッキング部材に関して回折させられてない電子のビームを位置決めするために使用される、
透過電子顕微鏡。
【請求項１３】
請求項1乃至12のうちのいずれか一項の透過電子顕微鏡であって、
さらに前記ブロッキング部材を加熱するための手段を具備する、
透過電子顕微鏡。
【請求項１４】
請求項1乃至13のうちのいずれか一項の透過電子顕微鏡において、
前記回折パターンは、回折させられてない電子のスポットを示すと共に、
前記ブロッキング部材は、前記回折させられてない電子のビームが前記ブロッキング部材に最も近いものである場所におけるへこみを示すと共に、
その結果として前記ブロッキング部材の汚染は、低減される、
透過電子顕微鏡。
【請求項１５】
透過電子顕微鏡においてブロッキング部材の使用をするための方法であって、
前記方法は、
前記透過電子顕微鏡の回折平面にブロッキング部材を提供すること、
前記ブロッキング部材が前記回折平面の一部分をブロックすること
を具備する、
方法において、
前記ブロックされた部分は、少なくとも一つの方向において低い周波数から高い周波数までの空間周波数をブロックすると共に、
前記高い空間周波数は、前記ブロッキング部材無しにイメージングされた上記の回折平面のイメージがおおよそ５０％のコントラスト伝達関数を示す最も低い空間周波数と比べてより低い又はそれに等しいものである
ことを特徴とする、方法。
【発明の詳細な説明】
【技術分野】
【０００１】
当該発明は、試料をイメージングするための透過電子顕微鏡に関係するが、透過電子顕微鏡が、試料の回折パターンが形成される回折平面を示すと共に、回折パターンが、フーリエ（Ｆｏｕｒｉｅｒ）ドメインにおける試料のイメージを表すと共に、透過電子顕微鏡が、回折平面又はそれのイメージに位置決めされたブロッキング部材を具備すると共に、ブロッキング部材が、フーリエドメインの一部分をブロックすると共に、少なくとも一つの方向におけるフーリエドメインのブロックされた部分が、低い空間周波数から高い空間周波数まで延びる。
【背景技術】
【０００２】
そのような透過電子顕微鏡（ＴＥＭ）は、Ｋ．Ｄｏｗｎｉｎｇ  ｅｔ  ａｌ．，Ｏｐｔｉｋ  ４２（１９７５），ｐａｇｅ  １５５−１７５の“Ｄｉｓｃｒｉｍｉｎａｔｉｏｎ  ｏｆ  ｈｅａｖｙ  ａｎｄ  ｌｉｇｈｔ  ｃｏｍｐｏｎｅｎｔｓ  ｉｎ  ｅｌｅｃｔｒｏｎ  ｍｉｃｒｏｓｃｏｐｙ  ｕｓｉｎｇ  ｓｉｎｇｌｅ−ｓｉｄｅｂａｎｄ  ｈｏｌｏｇｒａｐｈｉｃ  ｔｅｃｈｎｉｑｕｅｓ”から知られたものであると共に、シングルサイドバンドイメージングとして知られたものである。
【０００３】
透過電子顕微鏡（ＴＥＭ）において、試料は、電子のビームで試料を照射することによってイメージングされる。しばしば、この電子のビームは、平行なビームである。典型的には、試料は、試料を通過するために電子の大部分について十分に薄いものである。いくつかの電子は、試料によって弾性散乱させられると共に、それらは、試料に入ったものと比べて別の方向において試料を去る。これらの散乱させられた電子は、対物系のレンズによって集束させられると共に、回折平面としてもまた知られた、上記の対物系のレンズのバックフォーカスの平面に回折パターンを形成する。
【０００４】
回折平面における各々の位置が、電子が試料を去る特定の角度と対応することは、留意されることである。従って、回折平面に形成されたパターンは、フーリエの平面へのイメージの平面の（フーリエ）変換を表す。
【０００５】
試料をイメージングするために、二つのコントラストの機構、位相コントラスト及び吸収コントラストが、存在する。位相コントラストは、弾性散乱させられた電子で妨げられてない試料を通過する電子の干渉の結果として生ずる。位相コントラストは、典型的には、試料が、少量の重い原子及び炭素、水素、等のような多数の軽い原子を具備するとき、生ずる。位相コントラストにおいては、電子のエネルギーは、ほとんど変化させられないと共に、従って、それが、弾性的な偏向ともまた称されることは、留意されることである。
【０００６】
他方のコントラストの機構、吸収においては、電子は、はるかにより大きい角度にわたって散乱させられるが、それの結果として、それらは、例えば、回折平面における開口によって遮られる。電子のいくつかは、一様に反射させられるが、後方散乱させられた電子に帰着する。さらにいくつかの電子は、例．イオン化する事象によってエネルギーを失う、及び／又は、もはや回折平面に集束されない。全てこれは、これらの電子が、イメージングに寄与するものではないと共に、一般的に非弾性的な偏向と称されることに帰着する。
【０００７】
生物学的な試料、ポリマー等が、しばしば位相コントラスト及び少量の吸収コントラストを示すことは、留意されることである。
【０００８】
ＴＥＭの位相コントラストは、しばしばコントラスト伝達関数（ＣＴＦ）によって表現されるが、それは、空間周波数の関数としてコントラストを表現する。順番にＣＴＦは、二つのサブ関数、エンベロープ関数及び位相コントラスト伝達関数の積として記載されることができると共に、これらの関数の両方は、また空間周波数の関数である。これらの関数及びそれらの相互依存性の詳述された記載は、Ｒ．Ｍ．Ｇｌａｅｓｅｒ  ｅｔ  ａｌ．“Ｅｌｅｃｔｒｏｎ  Ｃｒｙｓｔａｌｌｏｇｒａｐｈｙ  ｏｆ  Ｂｉｏｌｏｇｉｃａｌ  Ｍａｃｒｏｍｏｌｅｃｕｌｅｓ”Ｏｘｆｏｒｄ  Ｕｎｉｖｅｒｓｉｔｙ  Ｐｒｅｓｓ（２００７）（ＩＳＢＮ９７８−０−１９−５０８８７１−７）に見出されるが、これにより参照によって組み込まれる。より具体的には、第６７頁から第７２頁までの段落３．８及び３．９において、位相コントラストの伝達関数は、数ある中で、試料をイメージングするレンズのデフォーカスの、及び、このように試料からレンズのフォーカスの平面までの距離の、関数である。相対的な幅広い空間周波数帯域にわたってコントラストを達成するために、ＴＥＭのユーザーは、しばしばいわゆるシェルツァー（Ｓｃｈｅｒｚｅｒ）のデフォーカスで操作する。Ｇｌａｅｓｅｒは、周知のシェルツァーのデフォーカス（上記の刊行物の図３．４をもまた参照のこと）及び結果として生じる位相コントラスト伝達関数（上記の刊行物の、例．図３．５を参照のこと）を記載する。第６９頁から第７２頁までの段落３．９に記載されたようなエンベロープの関数との位相コントラスト伝達関数の乗算は、ＣＴＦに帰着する。
【０００９】
高い周波数について、位相コントラスト伝達関数が、＋１及び−１の間における振動を示すと共に、従ってＣＴＦが、類似の振動を示すことは、留意されることである。それにおいて、第一のゼロ交差をすることが生ずる周波数は、数ある中で、イメージングレンズのフォーカスの平面までの試料の距離に依存する。シェルツァーのデフォーカスは、それが、ＣＴＦが連続的に正である（ゼロより上にある）大きい周波数帯域を示すため、しばしば使用される。現代のＴＥＭの及び生物学的な試料については、ＰＣＴＦ、シェルツァーのデフォーカスで第一のゼロ交差をすることは、典型的には、０．３ｎｍ（３オングストローム）のイメージにおける解像度と対応する３ｎｍ−１より上の空間周波数におけるものである。そのような解像度は、典型的には、生物学的なイメージングについては十分なものであると考えられる。
【００１０】
当業者に周知なように、及び、前に述べた文献に示されるように、ＣＴＦは、低い空間周波数については低いものである。これは、位相コントラストを示す試料のイメージにおいては大きい構造が、検出することが難しいものであることを暗示する。
【００１１】
Ｄｏｗｎｉｎｇによって記載されたような、シングルサイドバンドのイメージングの知られた方法においては、回折平面の半分は、回折平面にナイフエッジを置くことによってブロックされる（取り除かれる）が、回折パターンの５０％をカバーするものである。電子のこの半分の結果として、それらがナイフエッジによって妨げられるように散乱される電子は、回折させられてない電子の中央のビームと干渉することはできない。
【００１２】
シングルサイドバンドのイメージングが、Ｒ．Ｍ．Ｇｌａｅｓｅｒ等の“Ｅｌｅｃｔｒｏｎ  Ｃｒｙｓｔａｌｌｏｇｒａｐｈｙ  ｏｆ  Ｂｉｏｌｏｇｉｃａｌ  Ｍａｃｒｏｍｏｌｅｃｕｌｅｓ”Ｏｘｆｏｒｄ  Ｕｎｉｖｅｒｓｉｔｙ  Ｐｒｅｓｓ（２００７）（ＩＳＢＮ９７８−０−１９−５０８８７１−７）に、より具体的には第７４頁の段落３．１１の‘Ｓｉｎｇｌｅ  ｓｉｄｅｂａｎｄ  ｉｍａｇｅｓ：  ｂｌｏｃｋｉｎｇ  ｈａｌｆ  ｏｆ  ｔｈｅ  ｄｉｆｆｒａｃｔｉｏｎ  ｐａｔｔｅｒｎ  ｐｒｏｄｕｃｅｓ  ｉｍａｇｅｓ  ｗｈｏｓｅ  ｔｒａｎｓｆｅｒ  ｆｕｎｃｔｉｏｎｓ  ｈａｓ  ｕｎｉｔ  ｇａｉｎ  ａｔ  ａｌｌ  ｓｐａｔｉａｌ  ｆｒｅｑｕｅｎｃｉｅｓ’にもまた記載されたものであることは、留意されることである。
【００１３】
ＳＳＢのイメージングにおいては、フーリエの空間の半分は、回折平面にナイフエッジを置くことによって取り除かれるが、回折パターンの５０％を覆うものである。電子の半分を捨てることによって、コントラストは、エンベロープ関数のみによって支配される。しかしながら、電子の半分が捨てられるため、実現されたコントラストは、エンベロープ関数の５０％‘のみ’である。
【００１４】
シングルサイドバンドの方法の不都合は、達成されたコントラストが、最良でもエンベロープ関数の５０％であるというものである。
【先行技術文献】
【非特許文献】
【００１５】
【非特許文献１】Ｋ．Ｄｏｗｎｉｎｇ  ｅｔ  ａｌ．，Ｏｐｔｉｋ  ４２（１９７５），ｐａｇｅ  １５５−１７５
【非特許文献２】Ｒ．Ｍ．Ｇｌａｅｓｅｒ  ｅｔ  ａｌ．“Ｅｌｅｃｔｒｏｎ  Ｃｒｙｓｔａｌｌｏｇｒａｐｈｙ  ｏｆ  Ｂｉｏｌｏｇｉｃａｌ  Ｍａｃｒｏｍｏｌｅｃｕｌｅｓ”Ｏｘｆｏｒｄ  Ｕｎｉｖｅｒｓｉｔｙ  Ｐｒｅｓｓ（２００７）（ＩＳＢＮ９７８−０−１９−５０８８７１−７）
【発明の概要】
【課題を解決するための手段】
【００１６】
本発明は、大きい周波数帯域におけるＣＴＦがエンベロープ関数の５０％、及び大きい周波数帯域についてエンベロープ関数の実質的に５０％と比べてより多いもの、に等しい方法を与える。
【００１７】
そのために、当該発明に従ったＴＥＭは、ブロッキング部材によってブロックされた高い空間周波数が、ブロッキング部材無しにイメージングされた上記の回折平面のイメージがおおよそ５０％のコントラスト伝達関数を示すところの最も低い空間周波数と比べてより低いもの又はそれに等しいものであるということで特徴付けられたものである。
【００１８】
フーリエ平面の半分をブロックするものではなく半円のもののような一部分のみをブロックする、回折平面におけるブロッキング部材を有することによって、ブロッキング部材は、大きい角度にわたって偏向させられる／散乱させられる電子（高い空間周波数に寄与する電子）をブロックするものではない。これは、上記の高い空間周波数より上の空間周波数について、ＣＴＦが、０．５と比べてより大きい値までの最初の上昇をするところで、それに正常な挙動を示す（このようにＳＳＢのイメージングにおいて利用可能なものと比べてより多いコントラストを示す）と共に、その次にそれの振動をスタートさせることを暗示する。このように当該発明は、例．シェルツァーのデフォーカスにおける、他の空間周波数について利用可能なより高いコントラストと低い空間周波数での良好なコントラストを組み合わせる。
【００１９】
低い周波数におけるＣＴＦの改善が、また、例．Ｈｉｔａｃｈｉへの米国特許第５，８１４，８１５号及びＪＥＯＬへの米国特許第６，６７４，０７８号に記載されたような、いわゆる位相板を使用することで達成されることができることは、留意されることである。ここで、位相板は、光学顕微鏡におけるゼルニケ（Ｚｅｒｎｉｋｅ）の位相板の働きに類似の、回折させられた電子に対する回折させられてない電子の位相のシフトを実現するために使用される。これが、上記の低い周波数におけるＣＴＦの改善に帰着するとはいえ、それは、また、ＣＴＦにおける第一のゼロが生ずる周波数を低下させる。さらに、本解決手段においては追加の電気的な電圧が印加されることを必要とするものではない、又は、脆弱な炭素のホイルの必要性がない一方で、それは、（Ｈｉｔａｃｈｉへの米国特許第５，８１４，８１５号の事例においては）小さい構造へ電圧を印加すること又は（ＪＥＯＬへの米国特許第６，６７４，０７８号の事例においては）脆弱な及び汚染する薄い炭素のフィルムを扱うことを伴う。
【００２０】
ブロッキング部材が、それに突き当たる電子を停止させる（吸収する）、又は、大きい角度で電子を散乱させることを必要とすることは、さらに留意されることである。従って、ブロッキング部材は、典型的には、電子を停止させる／散乱させる／吸収するための重金属を具備する。
【００２１】
ある実施形態において、ブロッキング部材は、一つの又はより多い支持アームへ接続される。
【００２２】
一つの又はより多い支持アームは、ブロッキング部材を支持すると共に、それが、例えば、ＴＥＭにおける開口に使用されるような位置決めするシステムで位置決めされることができるように、それをより巨視的な構造へ接続する。
【００２３】
一つの又はより多い支持アームは、十分に剛性のものであるべきであるが、しかし他方では、それは、可能な限り少ない電子を遮るものであるべきである。使用される支持体は、また電子を遮るが、それによってその方向及び周波数におけるより低いコントラストに帰着する。従って、支持アームは、可能な限り回折平面における少ない空間をカバーするべきである。
【００２４】
別の実施形態において、ブロッキング部材は、薄いフィルムによって支持されるが、上記のフィルムは、突き当たる電子に対して透明なものである。
【００２５】
炭素のフィルム、グラフェンのフィルム、又は薄いシリコンのフィルムのような、そのような支持するフィルムは、当業者に知られたものである。
【００２６】
フィルムが、さもなければ帯電することが生ずるため、好ましくは電気的に伝導性のものであることは、留意されることである。
【００２７】
ある実施形態において、ブロッキング部材は、矩形のものに似る。
【００２８】
矩形の形態にブロッキング部材を形成することによって、真っ直ぐなエッジを備えたブロッキング部材が、形成される。真っ直ぐなエッジのちょうどそばに回折させられてない（偏向させられてない）電子のビームを、このビームがそれに突き当たることがないように、位置決めすることによって、フーリエの空間の一部分は、ブロックされるが、部分的なＳＳＢのイメージングに帰着する。
【００２９】
ブロッキングの構造が、矩形のものであると、ブロックされた空間が、全ての方向において同一のものではないことは、留意されることである。そのことは、外径が、回折させられてないビームから一定の距離に形成される構造における場合のみである。
【００３０】
別の実施形態において、ブロッキング部材は、変動する幅を備えた台形のものに似るが、それにおいては、回折パターンが、回折させられてない電子のスポットを示すと共に、ブロックされた空間周波数の区間は、適当な幅を備えたブロッキング部材の一部分の近くに、回折させられてない電子のビームを位置決めすることによって、選ばれる。
【００３１】
台形のものの先細りになる幅のおかげで、回折させられてない電子のビーム近くの幅は、選択されることができる。
【００３２】
回折パターンのサイズが、試料に突き当たる電子のエネルギーに依存することは、留意されることである：より高いエネルギーは、回折パターンのより小さいサイズに帰着する。また、使用されるデフォーカスは、ＣＴＦが０．５の値に到達する空間周波数に影響する。これは、ブランクにされる回折平面のエリアのサイズが、好ましくは、同様に調整可能なものであるべきであることを暗示する。
【００３３】
別の実施形態において、ブロッキング部材は、各々が異なる幅を備えた、不連続な数のステップを備えたビームを示す。ここで、例、使用される電子のエネルギーについての適当な幅が、不連続な値で選択されることができる。
【００３４】
別の実施形態において、ブロッキング部材は、半円のものに似る。
【００３５】
回折させられてないビームが円の中心で集束されることを仮定すると、この実施形態は、全ての方向において等しいものである高い周波数を有する。
【００３６】
さらなる実施形態において、半円形のものは、真っ直ぐなエッジを示すと共に、支持アームは、上記の真っ直ぐなエッジに対して垂直に又は平行に延びる。
【００３７】
光学的な視点からいずれの方向についても優先性のあるものではないとはいえ、リソグラフィーの技術が、そのような構造を生産するために使用されるとき、これらの方向は、好適なものである。
【００３８】
別の実施形態において、ブロッキング部材は、回折平面のイメージである平面に置かれると共に、そこでは回折平面のアナモルフィックなイメージが、形成される。
【００３９】
例えば、四重極を使用することで、アナモルフィックなイメージが形成される平面は、回折パターンが、点の代わりに、ある数のストライプとしてイメージングされる平面に帰着する。これは、より低いピーク電流密度に帰着する。これは、汚染、損傷、又は他の電流密度に関係させられた問題点を回避するとき、好ましいことであることがある。
【００４０】
なおも別の実施形態において、ブロッキング部材は、回折平面のイメージである平面に置かれると共に、上記の平面への回折平面のイメージングは、補正器光学部品の一部分である伝達光学部品によって少なくとも部分的には実現されるが、補正器光学部品は、回折パターンを形成するレンズの収差を補正するためのものである。
【００４１】
当業者に知られるように、補正器は、典型的には、伝達光学部品が備え付けられる。補正器に使用される伝達光学部品と回折平面をイメージングする伝達光学部品を組み合わせることによって、コンパクトな設計が、実現される。
【００４２】
なおも別の実施形態において、ブロッキング部材の少なくとも一部分は、アースから電気的に絶縁させられると共に、ブロッキング部材の少なくとも一部分に突き当たる電流を測定するための電流測定ユニットへ電気的に接続される。
【００４３】
なおも別の実施形態において、電流の測定は、ブロッキング部材に関して回折させられてない電子のビームを位置決めするために使用される。
【００４４】
なおも別の実施形態において、透過電子顕微鏡は、ブロッキング部材を加熱するための手段をさらに具備する。
【００４５】
ブロッキング部材を加熱することは、汚染を回避する及び／又は汚染が起こったときブロッキング部材をクリーニングするために、使用される。これにより、例．ブロッキング部材の帯電をすることは、最小限に保たれる。
【００４６】
なおも別の実施形態において、回折パターンは、回折させられてない電子のスポットを示すと共に、ブロッキング部材は、回折させられてない電子のビームがブロッキング部材に最も近いものである場所でへこみを示すが、それの結果としてブロッキング部材の汚染は、低減される。
【００４７】
当該発明のある態様において、透過電子顕微鏡においてブロッキング部材の使用をすることの方法は、その方法が、透過電子顕微鏡の回折平面にブロッキング部材を提供すること、ブロッキング部材が回折平面の一部分をブロックすることを具備するが、ブロックされた部分は、少なくとも一つの方向において低い周波数から高い周波数までの空間周波数をブロックすると共に、高い空間周波数が、ブロッキング部材無しでイメージングされた上記の回折平面のイメージがおおよそ５０％のコントラスト伝達関数（１０００）を示す最も低い空間周波数と比べてより低い又はそれに等しいものであるということで特徴付けられたものである。
【図面の簡単な説明】
【００４８】
【図１】図１は、概略的にＴＥＭを示す。
【図２】図２は、回折パターンを示す。
【図３】図３は、概略的にブロキング部材無しのＴＥＭのコントラスト伝達関数を示す。
【図４】図４は、オーバーレイされたブロッキング部材と共に、図２の回折パターンを示す。
【図５】図５は、概略的にブロッキング部材有りのＴＥＭのコントラスト伝達関数を示す。
【図６ａ】図６ａは、概略的にブロッキング部材の異なる実施形態を示す。
【図６ｂ】図６ｂは、概略的にブロッキング部材の異なる実施形態を示す。
【図６ｃ】図６ｃは、概略的にブロッキング部材の異なる実施形態を示す。
【図６ｄ】図６ｄは、概略的にブロッキング部材の異なる実施形態を示す。
【図６ｅ】図６ｅは、概略的にブロッキング部材の異なる実施形態を示す。
【図６ｆ】図６ｆは、概略的にブロッキング部材の異なる実施形態を示す。
【発明を実施するための形態】
【００４９】
発明は、今、図の援助で解明されたものであるが、そこでは同一の参照数字は、対応する特徴に参照する。
【００５０】
ここで、
図１は、概略的にＴＥＭを示す
図２は、回折パターンを示す
図３は、概略的にブロキング部材無しのＴＥＭのコントラスト伝達関数を示す
図４は、オーバーレイされたブロッキング部材と共に、図２の回折パターンを示す
図５は、概略的にブロッキング部材有りのＴＥＭのコントラスト伝達関数を示す
図６Ａ−６Ｆは、概略的にブロッキング部材の異なる実施形態を示す。
【００５１】
図１は、概略的にＴＥＭを示す。
【００５２】
ＴＥＭは、光軸１０４を囲んで電子のビーム１０２を生じさせる電子源１００を具備する。源から受け入れられる電子の量は、開口１０６によって支配される。その次にコンデンサーレンズ１０８及び１１０は、電子の平行なビームを形成するが、それから開口１１１が、一部分を受け入れる。これで電子の平行なビームは、形成される。このビームは、試料１１２を照射するが、それは、位置決めするユニット１１４において位置決めされる。位置決めするユニットは、試料が、ｘ軸を囲んで回転するのみならず、ｘ、ｙ、及びｚ方向において移動させられることを可能とする。その次に、対物系のレンズ１１６は、第一のイメージの平面１１９で対象の拡大されたイメージを形成するが、その拡大されたイメージは、レンズ１２０及び１２２によってさらに拡大されると共に、センサー１２４に投射される。センサー１２４は、カメラであることがあるが、しかし、蛍光性のスクリーンが、また使用される。対物系のレンズは、また、回折平面１１８において回折パターンを形成する。
【００５３】
この記載が、平行なビームが試料を照明すると共に試料がイメージングされるＴＥＭモードで、ＴＥＭの動作をすることを示すことは、留意されることである。当業者に知られるように、ＴＥＭは、典型的には、試料が収束性の又は発散性のビームで照明されると共にビームが試料に集束させられると共にそれにわたって走査させられると共にセンサーにおける回折平面のイメージング等がされるモードを含む、多数の他のモードにおいて同様にして作動するように備え付けられる。
【００５４】
図２は、回折パターンを示す。
【００５５】
ここに示された回折パターンは、示されたスポットで明白なことであるように、結晶質の材料のものである。それは、回折させられた電子によって形成された大きい数のスポットによって囲まれた、回折させられてない電子によって形成された、強い中央のスポットを示す。ここに使用された試料の結晶質の性質のおかげで、特定の方向に散乱させられる電子について強い優先性があるものである。非晶質の試料が（大部分の生物学的な試料がそのようなものであるが）中央のピークを囲む電子の拡散性の分布を示すと思われることは、留意されることである。
【００５６】
図３は、概略的に対物系のレンズのコントラスト伝達関数を示す。
【００５７】
図３は、いわゆるシェルツァーのフォーカスにおけるＣＴＦ３０１のグラフを示す。それは、１ｎｍ−１と比べてより少ないものの空間周波数について、関数が、０．５より少ないものであると共に、ゼロの空間周波数まで行くときゼロまで落ちることを示す。従って、大きい構造、この事例においては、例．１ｎｍと比べてより大きいものは、あまり可視のものではないものになる。例．生物学者のために、これは、彼／彼女らが、高い解像度を備えたイメージを作ることができるとはいえ、細胞小器官と同様のより巨視的な構造と高い解像度の観察を関係付けることは、困難なことであることを意味する。
【００５８】
さらには、高い周波数、ここでは３．５ｎｍ−１より上の周波数での振動は、エンベロープ関数３０２による最大の振幅の減少であるように、明りょうに可視のものである。
【００５９】
関数がｘ軸と交差する周波数及び周波数の関数としてのエンベロープ関数の振幅が、レンズの質に依存性のあるものであることは、留意されることである。
【００６０】
ＣＴＦが、ここではシェルツァーのデフォーカスについて示されるとはいえ、類似のＣＴＦが、他の（デ）フォーカスの距離について導出されることができることは、さらに留意されることである。
【００６１】
図４は、概略的にブロッキング部材とオーバーレイされた図２の回折パターンを示す。
【００６２】
図４は、図２に示された回折パターンを示すが、それにブロッキング部材４０１が投影されたものである。ブロッキング部材は、支持アーム４０２によってより巨視的な構造（及びついにはＴＥＭ）へ接続される。
【００６３】
ブロッキング部材が、ここでは真っ直ぐなエッジ４０３を備えた半円のものとして形成されることは、留意されることである。円形のものの中央において、へこみが、形成されるが、そこでは回折させられてないビームは、これらの電子が、ブロッキング部材に突き当たることがないように、通ることができる。このへこみは、全ての方向において同一のものである低い周波数についてブロッキング部材の低い周波数の挙動を保証する。
【００６４】
図５は、概略的にブロッキング部材を備えたＴＥＭのコントラスト伝達関数を示す。
【００６５】
ブロッキング部材４０１による電子のブロッキングのおかげで、周波数５０１までの全ての周波数についてのＣＴＦは、このエリアにおいて弾性散乱させられた電子の５０％が、捨てられるため、有効にエンベロープ関数の５０％である。ブロッキング部材を回避するには十分に大きい角度にわたって散乱させられる電子は、ブロッキング部材無しのＴＥＭにおける事例であると思われるものと同じ様式で、イメージを形成することができる。従って、ＣＴＦは、それの正常な挙動のおかげで、それが、周波数５０２と比べてより高い周波数について５０％より下の値まで落ちるまで、上昇する。
【００６６】
結果は、大きい対象（低い周波数）が正常なものと比べてはるかにより高いコントラストで示されるイメージであると共に、高い解像度は、正常に達成されると思われるものと同じコントラストで達成される。例えば、生物学（０．３ｎｍの解像度）の関心のある領域について、これは、互いに有利な状況である。
【００６７】
図６ａから６ｈまでは、ブロッキング部材の異なる実施を与える。
【００６８】
図６ａは、外側のエッジ６１０を備えた、例．シリコンの正方形のチップ６００を示す。好ましくは、外側のエッジは、それが、例．ＴＥＭの開口の機構に含有されるように、寸法がとられるが、その結果、それは、機械的に位置決めされることができる。チップにおいて、直径６０８を備えた丸い穴６０１は、エッチングされたものである。穴の直径は、非弾性的に偏向させられる（と共にこのように大きい角度にわたって散乱させられる又はエネルギーを失った）電子が、シリコンによって妨げられるように、選ばれる。外側のエッジ６１０及び穴６０１の直径の間においてシリコンへ接続されるものは、支持アーム６０６である。穴の中央に近い遠位の末端で、支持アームは、この事例においては半円のようなものに形成されるブロッキング部材６０４に接続する。半円のものは、真っ直ぐなエッジを示すと共に、回折パターンの中央のビーム６１２は、このエッジの付近に位置決めされるが、しかし、ブロッキング部材が中央のビームにおける電子（の多くのもの）を妨げることがないように十分に取り除かれる。
【００６９】
小さいへこみが、中央のビームを通らせることをより簡単なものとするために使用されることがあることは、留意されることである。発明者は、他の顕微鏡及び他の加速電圧では、異なる値が見出されることができるとはいえ、半円のものの半径が、３００ｋＶの高い電圧について、例えば１０−１５μｍの間にあるものであることを算出した。支持アームは、好ましくは、可能な限り細いものであると共に、実験は、支持アームが３μｍの幅を有するものであった構造に帰着した。
【００７０】
構造が、金メッキされる、又はさもなければ、帯電することを回避するために高度に伝導性の材料でメッキされることができることは、留意されることである。基体は、与えられた表面のコーティングに従って、伝導性のもの又は絶縁するものであることができる。基体の材料及びコーティングの両方は、真空の保全性、熱的な挙動、機械加工性、等に関する需要に適応するために帯電させられることができる。
【００７１】
図６Ｂは、矩形のブロッキング部材を備えた類似のチップを示す。中央のビームを囲んで半円状のものではないブロッキング部材は、それの働きが、全ての方向において同一のものではないこと、及び、ＳＳＢのイメージングが‘正常な’ＣＦＴの挙動へとブレンドする周波数が、それらの方向で異なることを、暗示する。これは、一つの方向において可視の（与えられたコントラストで）最も低い解像度が、別の方向における可視の最も低い解像度とは異なるという点でアーチファクトに至ることがある。
【００７２】
図６Ｃは、図６Ａのブロッキング部材を示すが、しかし今、支持アームは、半円のものの真っ直ぐなエッジに対して平行なものである。
【００７３】
図６Ｄは、変動する幅を備えたブロッキング部材を示す。それぞれ、位置６２０、６２１、又は６２２の近くに中央のスポットを置くことによって、スポットに近いブロッキング部材の異なる幅は、実現されることができる。
【００７４】
図６Ｅは、図６Ｄにおける事例であるもののように、支持アーム６０６によって支持されるものだけではなく、第二の支持アーム６３０によってもまた支持される、ブロッキング部材６０４を示す。これにより、構造は、はるかにより堅いものになるが、例えば、あまり振動しやすいものではない構造に帰着する。
【００７５】
図６Ｆは、絶縁体が基体に使用されると共にブロッキング部材がチップの大部分で電気的に絶縁されるところの構造を示す。電気的な接続は、パッド６４０でなされることができるが、それによって電流の測定は、どのくらい多くの電流がブロッキング部材に突き当たるかを決定するためになされることができる。同様にして構造の他の側面を使用することがある又は使用しないことがあるブロッキング部材への二つの又はより多い電気的な接続を備えた変形は、予見されるものである。
【００７６】
電流を測定することによって、中央のビームがブロッキング部材のエッジに対してどのくらい近くであるかということが、決定されることができる。
【００７７】
それ自体では電子に対して透明なものである薄い伝導性のホイルにブロッキング部材を置くことはまた可能性のあることであることは、留意されることである。
【図１】
0005829842.tif 000002
【図２】
0005829842.tif 000003
【図３】
0005829842.tif 000004
【図４】
0005829842.tif 000005
【図５】
0005829842.tif 000006
【図６ａ】
0005829842.tif 000007
【図６ｂ】
0005829842.tif 000008
【図６ｃ】
0005829842.tif 000009
【図６ｄ】
0005829842.tif 000010
【図６ｅ】
0005829842.tif 000011
【図６ｆ】
0005829842.tif 000012